(57)【特許請求の範囲】
【請求項１】
梱包機本体内に設けられた断面略コ字状で直線状に形成されたバンド通路内にバンドを挿入するとともに、このバンド通路の途中からバンドを略Ｕ字状に撓ませるようにして引き出すとともに、これに伴って引き出されたバンドの先行側の端部を、梱包機本体内に挿入して被梱包物にバンドを巻きつけるようにしたバンド掛け梱包機において、
前記バンド通路内に、当該バンド通路の底面から離反することが可能な跳ね上げ板を引っ張りスプリングを介して揺動自在に配置するとともに、この跳ね上げ板を前記引っ張りスプリングの付勢力に抗して操作レバーで操作することにより、前記バンド通路の底面から選択的に離反させて、バンドを引き出すようにしたことを特徴とするバンド掛け梱包機。
【発明の詳細な説明】
【０００１】
【発明の属する技術分野】
本発明は、タイヤなどの円筒状の被梱包物を梱包するのに好適なバンド掛け梱包機に関し、詳しくは、バンド掛け梱包機におけるバンド取り出し装置に関するものである。
【０００２】
【従来の技術】
例えば、自動車のタイヤなどのように、バンド掛けを行なう場合は、図２に示したように、例えば、梱包機本体２の側方に被梱包物の載置台４を設けた、いわゆる横置き型の半自動梱包機１などが使用されている。
この横置き型の半自動梱包機１では、バンドリール６から繰り出されたバンドＢの先端部は、梱包作業が行なわれる前に、梱包機本体２のバンド挿入口１０内に挿入された後、内部の図示しないバンド供給手段に案内され、このバンド供給手段による駆動力により、さらに水平方向に形成された断面略コ字状の案内通路４０内に案内され、この案内通路４０が略中央に形成された載置台４からやや飛び出した位置まで送給され、この位置でバンドＢの先端部が待機されている。
【０００３】
そして、例えば、タイヤ１２のように、中央部に空間Ｓが形成された円筒状の製品は、載置台４の上に載置され、その後、中央の空間ＳからバンドＢの胴部が上方につまみ上げられ、これに伴なって取り出されたバンドＢの先端部が、梱包機バンド先端挿入口１１内に挿通されることにより、円筒状のタイヤ１２に対する半径方向のバンド掛けが行なわれている。
【０００４】
なお、従来のタイヤ梱包は、横置き型の半自動機のみでなく、標準型の半自動機も使用されている。
【０００５】
【発明が解決しようとする課題】
ところで、このような半自動梱包機１では、案内通路４０内に挿通されているバンドＢの先端を取り出すために、操作者が空間Ｓ内に手を差し込んでも、バンドＢは幅の狭い案内通路４０内を走行しているため、バンドＢを取り出すことが困難であった。
【０００６】
そのような場合には、図２に示した状態からバンドＢをバンド通路４０内に押し戻すことにより、中央の空間ＳからバンドＢを浮き上がらすことも行なわれているが、バンドＢが浮き上がらない場合もあり、改善が求められていた。
本発明は、このような実情に鑑み、例えば、自動車のタイヤなどのように円筒状の製品にバンド掛けを行なうのに好適なバンド掛け梱包機において、バンド通路からバンドを容易に引き出すことが可能なバンド掛け梱包機を提供することを目的としている。
【０００７】
【課題を解決するための手段】
上記目的を達成するための本発明は、
梱包機本体内に設けられた断面略コ字状で直線状に形成されたバンド通路内にバンドを挿入するとともに、このバンド通路の途中からバンドを略Ｕ字状に撓ませるようにして引き出すとともに、これに伴って引き出されたバンドの先行側の端部を、梱包機本体内に挿入して被梱包物にバンドを巻きつけるようにしたバンド掛け梱包機において、
前記バンド通路内に、当該バンド通路の底面から離反することが可能な跳ね上げ板を引っ張りスプリングを介して揺動自在に配置するとともに、この跳ね上げ板を前記引っ張りスプリングの付勢力に抗して操作レバーで操作することにより、前記バンド通路の底面から選択的に離反させて、バンドを引き出すようにしたことを特徴としている。
【０００８】
係る構成による本発明によれば、回動手段を手動あるいは自動で操作することにより、跳ね上げ板を回動させることにより、バンドをバンド通路から強制的に持ち上げるように構成されているので、狭いバンド通路から労を要することなく、バンドを引き出すことができる。
【０００９】
【発明の実施の形態】
以下、本発明の実施例について図面を参照しながら説明する。
図１は本発明の一実施例に係るバンド掛け梱包機に採用された手動式のバンド跳ね上げ装置を示したものである。
この跳ね上げ装置２０は、主として、跳ね上げ板２２とこの跳ね上げ板２２を回動させる回動手段３０とから構成されており、跳ね上げ板２２は、例えば、図２に示したバンド掛け梱包機のように、一方面が開口したバンド案内通路４０内に収容される。そして、跳ね上げ板２２は、回動手段３０が手動操作されることにより、矢印Ｅ１−Ｅ２方向に選択的に回動される。
【００１０】
すなわち、上記回動手段３０は、操作者がＡ１−Ａ２方向に力を加える操作レバー２４と、この操作レバー２４に一端が取り付けられた第１のロッド２６と、この第１のロッド２６の他端が取り付けられ、矢印Ｂ１−Ｂ２方向に回動する略三角形状のプレート２８と、このプレート２８に一端が取り付けられた第２のロッド３２と、この第２のロッド３２の他端が取り付けられ、矢印Ｄ１−Ｄ２方向に回動する略矩形状のプレート３４と、このプレート３４に一体に固定された軸３６と、この軸３６の他端に一体的に固定された跳ね上げ板２２と、矩形状のプレート３４を前記三角形状のプレート２８に対し離反する方向に引っ張るスプリング４４と、から構成されている。
【００１１】
そして、跳ね上げ板２２を支持している軸３６が軸受５０を介して案内通路４０の側壁に支持されることにより、跳ね上げ板２２は回動自在に支持されている。
なお、第１のプレート２８は、装置フレーム等に固定設置された軸４２を支点として回動自在に支持されている。
【００１２】
このような回動手段３０を備えたバンド跳ね上げ装置２０において、操作者が操作レバー５２を矢印Ａ１方向に移動操作すると、第１のプレート２８が矢印Ｂ１方向に回動され、さらに、第２のロッド３２が矢印Ｃ１方向に回動される。すると、第２のロッド３２に連結された第２のプレート３４が矢印Ｄ１方向に回動される。これにより、案内通路４０内に配置された跳ね上げ板２２が、矢印Ｅ１方向に跳ね上げられ、通路４０の底板から離反する。案内通路４０内に挿通されているバンドは、跳ね上げ板２２により上方に持ち上げられる。よって、この操作を行ないながら図２に示したように、空間Ｓ内に手を入れることにより、バンドの一部を掴むことができる。これにより、バンドの先端部を取り出すことができる。
【００１３】
なお、操作レバー５２から手を離せば、スプリング４４の付勢力により跳ね上げ板２２を元の状態に復帰させることができる。
以上、本発明の一実施例について説明したが、本発明は上記実施例に何ら限定されない。例えば、上記実施例では、バンド案内通路４０が水平方向に配置された半自動タイプのバンド掛け梱包機に適用した例を示したが、これに限定されず、バンド案内通路４０が上下方向に配置されたバンド掛け梱包機にも適用可能である。さらに、標準型の半自動機にも同様に適用可能であり、レバー操作をソレノイドなどの駆動装置により自動的に行なうこともできる。
【００１４】
【発明の効果】
以上、説明したように、本発明に係るバンド掛け梱包機によれば、バンド通路からバンドを取り出し難い場合に、跳ね上げ装置を操作することにより、バンドを容易に引き出すことができる。
【図面の簡単な説明】
【図１】図１は本発明の一実施例によるバンド跳ね上げ装置の斜視図である。
【図２】図２は従来のバンド掛け機の斜視図である。
【符号の説明】
２          梱包機本体
２０        バンド跳ね上げ装置
２２        跳ね上げ板
３０        回動手段
４０        バンド案内通路
【図１】
0003955754.tif 000002
【図２】
0003955754.tif 000003